(57)【要約】【課題】使用中に気分に応じてクリップ部材の装飾を大幅に変更することができる筆記具を提供する。【解決手段】筆先を紙面に当接させることにより筆記可能な筆記部材を有する筆記具本体と、筆記具本体に着脱可能なクリップ部材８、１０８、２０８と、を備え、クリップ部材８、１０８、２０８は透明材料により形成され、クリップ部材８、１０８、２０８の筆記具本体側の面に表示部８ｃ、１０８ｃ、２０８ｃが形成されている。【選択図】図８
2019119152.tif 000002
【特許請求の範囲】
【請求項１】
筆先を紙面に当接させることにより筆記可能な筆記部材を有する筆記具本体と、
筆記具本体に着脱可能なクリップ部材と、を備え、
前記クリップ部材は透明材料により形成され、
前記クリップ部材の前記筆記具本体側の面に表示部が形成されている、ことを特徴とする筆記具。
【請求項２】
前記筆記部材は交換可能である、請求項１に記載に筆記具。
【請求項３】
請求項１又は２の何れか１項に記載に筆記具と、
前記筆記具本体に着脱可能であり、前記クリップ部材とは異なる表示の表示部が形成された、前記クリップ部材とは別個の交換用クリップ部材とを含む、筆記具キット。
【請求項４】
請求項３に記載に筆記具と、
前記筆記具本体に着脱可能であり、前記クリップ部材とは異なる表示の表示部が形成された、前記クリップ部材とは別個の交換用クリップ部材と、
前記筆記部材とは別個の交換用筆記部材とを含む、筆記具キット。
【発明の詳細な説明】
【技術分野】
【０００１】
本発明は、筆記具、及び、この筆記具を含む筆記具キットに関する。
【背景技術】
【０００２】
筆記具のクリップは、クリップとしての機能性のみではなく、製品のデザイン性に寄与する重要な部品となっている。従来、クリップへの装飾は、成形品として形成した後、塗装、印刷等により行っていた。
【０００３】
例えば、特許文献１には、筆記体の筒体に透明な合成樹脂で形成したクリップを設け、クリップの長手弾性部の裏面に印刷又は熱転写を行って表示部を形成し、クリップを筒体に圧入固着した筆記具が開示されている。
【０００４】
また、例えば、特許文献２には、筆記具の軸又はキャップと一体成型されるクリップ本体の周囲に係止溝を形成し、この係止溝に着色した枠体を取り付けた筆記具が開示されている。
【先行技術文献】
【特許文献】
【０００５】
【特許文献１】実開平０７−０１２２８９号公報
【特許文献２】登録実用新案第３０４７４９８号
【発明の概要】
【発明が解決しようとする課題】
【０００６】
しかしながら、特許文献１に記載された筆記具では、クリップが筒体に圧入固着されているため、使用中にクリップ部材の装飾を変更することは一切できない。また、特許文献２に記載された筆記具では、枠体を交換することができるだけであり、使用中に気分に応じてクリップ部材の装飾を大幅に変更することはできない。
【０００７】
本発明は、上記の課題に鑑みなされたものであり、使用中に気分に応じてクリップ部材の装飾を大幅に変更することができる筆記具を提供することである。
【課題を解決するための手段】
【０００８】
本発明の筆記具は、筆先を紙面に当接させることにより筆記可能な筆記部材を有する筆記具本体と、筆記具本体に着脱可能なクリップ部材と、を備え、クリップ部材は透明材料により形成され、クリップ部材の筆記具本体側の面に表示部が形成されている、ことを特徴とする。
【０００９】
上記構成の本発明によれば、クリップ部材が着脱可能であるため、使用中であってもクリップ部材を交換することができる。さらに、クリップ部材が透明材料により形成され、クリップ部材の筆記具本体側の面に表示部が形成されているため、クリップ部材に幅広い装飾を施すことができる。
【００１０】
また、好ましくは、表示部には、溝部が形成され、当該溝部に塗色が施されている。
上記構成の本発明によれば、筆記具を衣服のポケット等にクリップ部材により取り付けたとしても、表示部のインク等が衣服に付着するのを防止でき、また、表示部の装飾の剥がれを防止できる。
【００１１】
また、好ましくは、クリップ部材の筆記具本体側の面は略平坦に形成されており、当該筆記具本体側の面に装飾がインクジェット印刷されて表示部が形成されている。
上記構成の本発明によれば、複雑な模様など多種多様な装飾であっても容易に施すことができる。
【００１２】
本発明において、好ましくは、筆記部材は交換可能である。
上記構成の本発明によれば、例えば、異なる色の筆記部材に交換した場合に、その色に合わせたクリップ部材に交換することができる。
【００１３】
本発明の筆記具キットは、上記の筆記具と、筆記具本体に着脱可能であり、クリップ部材とは異なる表示の表示部が形成された、クリップ部材とは別個の交換用クリップ部材とを含む。
上記構成の本発明によれば、交換用のクリップ部材がキットに含まれているため、使用者は気分等に応じて気軽にクリップ部材を交換できる。
【００１４】
本発明の筆記具キットは、上記の筆記具と、筆記具本体に着脱可能であり、クリップ部材とは異なる表示の表示部が形成された、クリップ部材とは別個の交換用クリップ部材と、筆記部材とは別個の交換用筆記部材とを含む。
上記構成の本発明によれば、筆記部材を交換用筆記部材に交換した場合に、交換用筆記部材に合わせてクリップ部材も交換することができる。
【発明の効果】
【００１５】
本発明によれば、使用中に気分に応じてクリップ部材の装飾を大幅に変更することができる筆記具を提供できる。
【図面の簡単な説明】
【００１６】
【図１】本発明の第１実施形態による筆記具を示す軸方向断面図である。
【図２】図１に示すノック式筆記具の出没機構を示し、（ａ）は斜視図、（ｂ）は側面図、（ｃ）は背面図、（ｄ）は軸方向に沿った断面図である。
【図３】図１に示すノック式筆記具の内筒を示し、（ａ）は斜視図、（ｂ）は上面図、（ｃ）は側面図、（ｄ）は軸方向に沿った断面図である。
【図４】図１に示すノック式筆記具の回転子を示し、（ａ）は斜視図、（ｂ）は正面図、（ｃ）は上面図、（ｄ）は（ｂ）におけるｄ−ｄ断面図である。
【図５】図１に示すノック式筆記具のノック部材を示し、（ａ）は斜視図、（ｂ）は正面図、（ｃ）は軸方向に沿った断面図である。
【図６】図１に示すノック式筆記具のクリップ部材を示し、（ａ）は半径方向外方から見た斜視図、（ｂ）は半径方向内方から見た斜視図、（ｃ）は半径方向外方から見た正面図、（ｄ）は半径方向内方から見た背面図、（ｅ）は側面図である。
【図７】図１に示すノック式筆記具の後端部を示す斜視図である。
【図８】図１に示すノック式筆記具を含む筆記具キットの構成を示す図である。
【発明を実施するための形態】
【００１７】
以下、本発明の第１実施形態による筆記具を図面を参照しながら詳細に説明する。なお、以下の説明では、リフィルの筆先が出没する側を先端側又は前方といい、出没機構のノック部が延出する側を後端側又は後方という。
【００１８】
図１は、本発明の第１実施形態による筆記具を示す軸方向断面図である。
図１に示すように、本実施形態のノック式筆記具１は、筆記具本体９と、クリップ部材８とを備える。筆記具本体９は、円筒状の軸筒２と、軸筒２内に収容されたリフィル部材４と、軸筒２の後端部に設けられた出没機構６と、を備える。
【００１９】
軸筒２は先端部が先細り状である円筒形状に形成されている。軸筒２は先端部が先細り状である円筒形状に形成されている。軸筒２の先端部には先端開口２ａが形成されており、後端部には後端開口２ｂが形成されている。軸筒２の後端部の内面には螺合部が形成されている。また、軸筒２の中間部には段部２ｄが形成されており、段部２ｄより後端側の軸筒２の内径は、先端側の内径よりも大きくなっている。
【００２０】
リフィル部材４は、インクが収容されたインク収容部４ａと、インク収容部４ａの先端側に接続された筆先部４ｂとを備える。インク収容部４ａには、水性又は油性のインクが収容されている。インク収容部４ａに収容されたインクは、筆先部４ｂに供給される。筆先部４ｂの先端の転写ボールを紙面に当接させることにより、インクが紙面に転写される。
【００２１】
図２は、図１に示すノック式筆記具の出没機構を示し、（ａ）は斜視図、（ｂ）は側面図、（ｃ）は背面図、（ｄ）は軸方向に沿った断面図である。なお、図２では、スプリング部材については図示を省略している。図１及び図２に示すように、出没機構６は、内筒１０と、回転子１２と、スプリング部材１４と、ノック部材１６とを備える。
【００２２】
図３は、図１に示すノック式筆記具の内筒を示し、（ａ）は斜視図、（ｂ）は上面図、（ｃ）は側面図、（ｄ）は軸方向に沿った断面図である。図３に示すように、内筒１０は、円筒状の本体部１０ａと、本体部１０ａから先端側に延びるカム部１０ｂと、本体部１０ａの後端側に接続された後端部１０ｃと、後端部１０ｃから側方に延びるクリップ保持部１０ｄとを備える。これら、本体部１０ａと、カム部１０ｂと、後端部１０ｃと、クリップ保持部１０ｄとは一体に成形されている。
【００２３】
本体部１０ａは円筒状であり、本体部１０ａの外径は軸筒２の内径と略等しくなっている。本体部１０ａの外周面には螺合部１０ｅが形成されている。また、本体部１０ａの内周面には、対向する位置に１８０度の角度間隔で、軸方向に延びる軸方向突部１０ｆが形成されている。
【００２４】
カム部１０ｂは略円筒状であり、その内径及び外径は本体部１０ａの内径及び外径と等しくなっている。カム部１０ｂには、周方向に等角度（９０度）間隔で第１の切欠部１８と、第２の切欠部２０とが交互に形成されている。第１の切欠部１８は、先端縁から軸方向後方に延びる軸方向溝部１８ａと、軸方向溝部１８ａに時計回り（図３（ｃ）の右方向）に連続して形成された案内部１８ｂとを有する。軸方向溝部１８ａは、一定の周方向幅で軸方向に延びる溝であり、第２の切欠部２０よりも後方へ延びている。案内部１８ｂは、周面で見て、時計回りに切込深さ（内筒の先端縁からの距離）が小さくなるような三角形状に形成されている。第２の切欠部２０は、周面で見て、時計回りに切込深さが小さくなるような三角形状に形成されている。第２の切欠部２０の最大切込深さは、第１の切欠部１８の軸方向溝部１８ａの切込深さよりも小さく、案内部１８ｂの最大切込深さよりも大きくなっている。第２の切欠部２０の反時計回り（図３（ｃ）の左方向）端部の位置は、隣接する第１の切欠部１８の案内部１８ｂの時計回り端部の位置と一致している。また、第２の切欠部２０の時計回り端部の位置は、隣接する第１の切欠部１８の軸方向溝部１８ａの反時計回り端部の位置と一致している。
【００２５】
後端部１０ｃは、外径が軸筒２の外径よりもわずかに小さい円筒状に形成されている。
クリップ保持部１０ｄは、後端部１０ｃから半径方向外方に延びており、軸方向に延びる開口１０ｄ１が形成されている。
【００２６】
図４は、図１に示すノック式筆記具の回転子を示し、（ａ）は斜視図、（ｂ）は正面図、（ｃ）は上面図、（ｄ）は（ｂ）におけるｄ−ｄ断面図である。図４に示すように、回転子１２は、円筒状の基部２１と、基部２１から前方に延びる４本のカム柱２８と、カム柱２８の前端に接続された保持部３０と、を有する。
【００２７】
基部２１は、円筒状の本体部２２と、本体部２２の後端側に接続された後端部２４と、本体部２２の先端側に接続された円環状の円環部２６と、を有する。
本体部２２は、円筒状に形成されており、外径が、後述するノック部材１６の前部の内径よりもわずかに小さくなっている。本体部２２の後端部には後方に向かって縮径する縮径部２２ａを有する。
【００２８】
後端部２４は、本体部２２の後端に連続する円柱部２４ａと、円柱部２４ａの後端に連続する円錐台状（截頭円錐体状）の円錐台部２４ｂと、円錐台部２４ｂの後端に連続する第１の表示部２４ｃとを有する。円柱部２４ａは、軸方向に同一な円形断面形状である。円柱部２４ａの外径は、ノック部材１６の後部３６の内径よりもわずかに小さくなっている。円錐台部２４ｂは、先端側の径が大きい円錐台形状である。円錐台部２４ｂの後端の径は、円柱部２４ａ及び第１の表示部２４ｃの径と略等しくなっている。第１の表示部２４ｃは、円錐台部２４ｂの後端から後方に延びる円柱状の部位である。第１の表示部２４ｃには軸方向に延びる複数の溝２４ｄが形成されている。
【００２９】
円環部２６は、本体部２２の前端部に接続されており、円環状に形成されている。円環部２６の外径は本体部２２の外径よりも大きく、保持部３０の外径よりも小さくなっている。円環部２６の後方の表面には周方向に９０度間隔で、４つのカム突部２６ａが形成されている。カム突部２６ａは、周方向に中心から側方に向かって突出高さ（後方への長さ）が減るような二等辺三角形状になっている。
【００３０】
カム柱２８は、軸方向に垂直な面で円弧状の断面形状を有し、基部２１の円環部２６の径方向外周面に接続され、前方に向かって延びている。カム柱２８は、周方向に９０度間隔で取り付けられている。カム柱２８は、円環部２６に形成されたカム突部２６ａの半分の周方向幅を有する。各カム柱２８は、円環部２６のカム突部２６ａの図４（ｂ）〜（ｄ）の右半部の外面に接続されている。カム柱２８の後端面は、円環部２６のカム突部２６ａの時計回り方向の半部の後端面と面一になっている。すなわち、カム柱２８の後端面２８ａは、時計回りに後方への突出高さが低くなるような傾斜面に形成されている。
【００３１】
保持部３０は円環状に形成されている。保持部３０の内径及び外径はカム柱２８の内径及び外径と等しくなっている。
スプリング部材１４は、らせん状の金属部材からなるばね部材である。
【００３２】
図５は、図１に示すノック式筆記具のノック部材を示し、（ａ）は斜視図、（ｂ）は正面図、（ｃ）は軸方向に沿った断面図である。
ノック部材１６は、無色透明な樹脂により形成されている。ノック部材１６は、前部３２と、前部の後方に連続する中間部３４と、中間部３４の後方に連続する後部３６とを有する。
【００３３】
前部３２は、少なくとも前方に開口する円柱状の内部空間が形成され、一対の円弧状断面の壁面により形成されている。前部３２の外径は、内筒１０の本体部１０ａの内径よりもわずかに小さい。また、前部３２の内径は、ノック部材１６の本体部２２の外径よりもわずかに大きい。前部３２には、軸方向に延び前方に開口し、後方に所定の長さ延びる一対の軸方向溝部３２ａが、周方向に１８０度の間隔で形成されている。また、前部３２の前端部の端面には、一対の軸方向溝部３２ａの間に周方向に見て三角形状の複数の突部３２ｂが形成されている。
【００３４】
中間部３４は円環状に形成されており、内面に円環状に突出する係止部３４ｂが形成されている。係止部３４ｂの前部は、好ましくは、図５（ｃ）に示すように、後方に向かって縮径するような傾斜面が形成されていることが好ましい。後部３６は円筒状に形成されている。
【００３５】
図６は、図１に示すノック式筆記具のクリップ部材を示し、（ａ）は半径方向外方から見た斜視図、（ｂ）は半径方向内方から見た斜視図、（ｃ）は半径方向外方から見た正面図、（ｄ）は半径方向内方から見た背面図、（ｅ）は側面図である。クリップ部材８は、無色透明の樹脂により形成されている。図６に示すように、クリップ部材８は、接続部８ａと、接続部８ａから前方に延びる本体部８ｂとを備える。接続部８ａの断面形状は、内筒１０の開口１０ｄ１と同形状である。図２に示すように、クリップ部材８の接続部８ａが内筒１０の開口１０ｄ１に挿入されることにより、クリップ部材８は内筒１０に固定されている。
【００３６】
クリップ部材８の本体部８ｂの内面（筆記具本体９側の面）は、平坦面に形成されている。この平坦面には、第２の表示部８ｃが形成されている。第２の表示部８ｃは、「ＨＥＬＬＯ」の文字を左右反転させた形状の溝からなる文字溝部８ｄからなる。これら文字溝部８ｄには塗料が塗布されている。文字溝部８ｄの深さは、５ｍｍ以下である。本実施形態のクリップ部材８は、単純な構成であるため、２プレート金型で製作することができる。
【００３７】
クリップ部材８は、筆記具本体９に対して着脱可能である。クリップ部材８を筆記具本体９から取り外すには、クリップ部材８を内筒１０に対して前方に引き抜けばよい。また、クリップ部材８の接続部８ａを内筒１０の開口１０ｄ１に挿入すればよい。
【００３８】
図２に示すように、ノック部材１６は、ノック部材１６の軸方向溝部３２ａ内に内筒１０の軸方向突部１０ｆが位置するように、後方から内筒１０内に挿入されている。また、回転子１２は、基部２１に形成された円錐台部２４ｂがノック部材１６の係止部３４ｂを超える位置まで、ノック部材１６内に前方から挿入されている。内筒１０のカム部１０ｂと回転子１２のカム柱２８とは軸筒２の内面に沿っており、同円上に位置している。
【００３９】
このような構成により、ノック部材１６は、内筒１０に対して回転が拘束されるとともに、内筒１０に対して軸方向に相対移動可能である。また、回転子１２はノック部材１６に対して回転可能であるとともに、ノック部材１６の係止部３４ｂが回転子１２の円錐台部２４ｂに当接する位置と、ノック部材１６の係止部３４ｂが回転子１２の縮径部２２ａと当接する位置との間で、軸方向に相対移動可能になっている。
【００４０】
そして、内筒１０の本体部１０ａ及びカム部１０ｂが軸筒２の後端開口２ｂ内に収容され、軸筒２の螺合部と内筒１０の螺合部１０ｅとが螺合することにより、内筒１０が軸筒２の後端部に取り付けられている。
【００４１】
また、リフィル部材４の後端部は、回転子１２の円環状の保持部３０内に挿入され、円環部２６の全面に当接している。これにより、リフィル部材４は回転子１２により繰出及び引き戻し可能に保持されている。
【００４２】
また、スプリング部材１４は、リフィル部材４と軸筒２との間に配置されている。スプリング部材１４は収縮した状態で、軸筒２の段部２ｄと、回転子１２の保持部３０との間に挟み込まれている。これにより、回転子１２はスプリング部材１４により後方に向かって付勢されている。
【００４３】
本実施形態のノック式筆記具の出没機構は、使用者がスプリング部材１４の付勢力に抗しながらノック部材１６を押圧することにより、回転子１２が前方に移動するとともに、内筒１０に対して回転する。このように回転子１２が回転することにより、回転子１２のカム柱２８が内筒１０の第１の切欠部１８に収容された状態と、第２の切欠部２０に収容された状態と、を切り替えることができる。これにより、回転子１２に保持されたリフィル部材４の筆先部４ｂが軸筒２内に収容された状態と、リフィル部材４の筆先部４ｂが軸筒２の先端開口２ａから突出した状態とを切り替えることができる。
【００４４】
図７は、図１に示すノック式筆記具の後端部を示す斜視図である。図７に示すように、クリップ部材８は無色透明の樹脂で形成されているため、クリップ部材８に形成された第２の表示部８ｃは半径方向外方から視認可能である。
【００４５】
図８は、図１に示すノック式筆記具を含む筆記具キットの構成を示す図である。図８に示すように、筆記具キット１００は、ノック式筆記具１と、ノック式筆記具１のクリップ部材８とは別個の交換用クリップ部材１０８、２０８を含む。交換用クリップ部材１０８、２０８の表示部１０８ｃ、２０８ｃには、ノック式筆記具１のクリップ部材８の表示部８ｃとは異なる装飾が施されている。これにより、使用者は気分に応じてクリップ部材８を取り換えて使用することができる。また、筆記具キット１００は、ノック式筆記具１のリフィル部材４とは別個の交換用のリフィル部材を含んでもよい。このような場合には、キットが、例えば、赤と黒の交換用リフィル部材と、表示部１０８ｃ、２０８ｃに「ＲＥＤ」及び「ＢＬＡＣＫ」と記載された交換用クリップ部材１０８、２０８を含んでいれば、赤のリフィル部材に交換した場合には、クリップ部材８を「ＲＥＤ」と記載された交換用クリップ部材１０８に交換し、黒のリフィル部材に交換した場合には、クリップ部材８を「ＢＬＡＣＫ」と記載された交換用クリップ部材２０８に交換することにより、使用者はインクの色を容易に認識することができる。
また、交換用クリップ部材１０８、２０８のみ、または、交換用クリップ部材１０８、２０８及び交換用リフィル部材の組み合わせを販売することも可能である。
なお、交換用クリップ部材は、上記に示したインク色だけでなく、表示内容を変えることでボール径の異なる組合せ、熱変色性インクと非熱変色性インクとの組合せ、消しゴム消去性インクと熱消色性インクとの組合せ、ボールペンとシャープペンシルとの組合せ等にも対応することが可能である。
【００４６】
本実施形態によれば以下の効果が奏される。
本実施形態では、クリップ部材８が着脱可能であるため、使用中であってもクリップ部材８を交換することができる。さらに、クリップ部材８が透明材料により形成され、クリップ部材８の筆記具本体側９の面に第２の表示部８ｃが形成されているため、クリップ部材８に幅広い装飾を施すことができる。
【００４７】
また、本実施形態では、第２の表示部８ｃには文字溝部８ｄが形成され、この文字溝部８ｄ内に塗料が塗布されている。これにより、筆記具１を衣服のポケット等にクリップ部材８により取り付けたとしても、第２の表示部８ｃのインク等が衣服に付着するのを防止でき、また、第２の表示部８ｃの装飾の剥がれを防止できる。
【００４８】
また、本実施形態では、リフィル部材４は交換可能である。
このような本実施形態によれば、例えば、異なる色のリフィル部材４に交換した場合に、その色に合わせたクリップ部材８に交換することができる。
【００４９】
また、本実施形態の筆記具キットは、クリップ部材８とは異なる表示の表示部１０８ｃ、２０８ｃが形成された、クリップ部材８とは別個の交換用クリップ部材１０８、２０８とを含んでいる。このように、交換用のクリップ部材１０８、２０８がキットに含まれているため、使用者は気分等に応じて気軽にクリップ部材８を交換できる。
【００５０】
また、本実施形態の筆記具キットは、さらに、リフィル部材４とは別個のリフィル部材を含むことができる。このような構成によれば、リフィル部材４を交換した場合に、これに合わせてクリップ部材８も交換することができる。
【００５１】
なお、上記実施形態では、表示部に溝部を形成したが、これに限らず、クリップ部材８の筆記具本体９側の面を略平坦に形成しておき、この平坦面にインクジェット印刷により装飾をほどこして表示部を形成してもよい。
このような実施形態によれば、複雑な模様など多種多様な装飾であっても容易に施すことができる。
【００５２】
また、上記実施形態では、ノック式のボールペンに本発明を適用した場合について説明したが、本発明はこれに限らず、ノック式以外のボールペンやマーカー、シャープペンシル等のクリップ部材を備えた筆記具であれば適用可能である。
【符号の説明】
【００５３】
１  ノック式筆記具
２  軸筒
２ａ  先端開口
２ｂ  後端開口
２ｄ  段部
４  リフィル部材
４ａ  インク収容部
４ｂ  筆先部
６  出没機構
８  クリップ部材
８ａ  接続部
８ｂ  本体部
８ｃ  第２の表示部
８ｄ  文字溝部
９  筆記具本体
１０  内筒
１０ａ  本体部
１０ｂ  カム部
１０ｃ  後端部
１０ｄ  クリップ保持部
１０ｄ１  開口
１０ｅ  螺合部
１０ｆ  軸方向突部
１２  回転子
１４  スプリング部材
１６  ノック部材
１８  切欠部
１８ａ  軸方向溝部
１８ｂ  案内部
２０  切欠部
２１  基部
２２  本体部
２２ａ  縮径部
２４  後端部
２４ａ  円柱部
２４ｂ  円錐台部
２４ｃ  表示部
２４ｄ  溝
２６  円環部
２６ａ  カム突部
２８  カム柱
２８ａ  後端面
３０  保持部
３２  前部
３２ａ  軸方向溝部
３２ｂ  突部
３４  中間部
３４ｂ  係止部
３６  後部
１００  筆記具キット
１０８、２０８  交換用クリップ部材
１０８ｃ、２０８ｃ  表示部
【図１】
2019119152.tif 000003
【図２】
2019119152.tif 000004
【図３】
2019119152.tif 000005
【図４】
2019119152.tif 000006
【図５】
2019119152.tif 000007
【図６】
2019119152.tif 000008
【図７】
2019119152.tif 000009
【図８】
2019119152.tif 000010